(57)【特許請求の範囲】
【請求項１】
フード付きワイパーブレードにおいてブレードラバーを支持するレバー部の端部に装着可能なワイパーブレード用エンドキャップにおいて、
本体部と、前記本体部に被せられる蓋部とを備え、
前記本体部は、前記フードと前記本体部の外周面とを接着するための接着剤が注入され得る接着剤溜まり部と、前接着剤溜まり部に隣接して形成される接着剤注入孔とを備え、
前記本体部は、前後両端縁に沿って延びる隆起部を有し、前記接着剤溜まり部は、前記隆起部によって周囲を囲まれており、
前記接着剤注入孔は、前記隆起部に形成されているワイパーブレード用エンドキャップ。
【請求項２】
前記本体部は、上面と両側側面とを備え、前記接着剤注入孔は、前記上面と両側側面のそれぞれに少なくとも１つずつ設けられている請求項１に記載のワイパーブレード用エンドキャップ。
【請求項３】
前記接着剤注入孔は、前記上面及び両側側面のそれぞれの端辺の中央部付近に形成されている請求項２に記載のワイパーブレード用エンドキャップ。
【請求項４】
前記蓋部は、前記本体部への装着時に前記接着剤注入孔に係合する係合部を備え、前記係合部の接着剤注入孔への係合により前記蓋部が前記本体部に固定されるようにした請求項１から請求項３のいずれか１つに記載のワイパーブレード用エンドキャップ。
【請求項５】
前記蓋部は、前記本体部への装着時に前記接着剤注入孔に対して整合した位置に配置される開口部を備えた請求項１から請求項３のいずれか１つに記載のワイパーブレード用エンドキャップ。
【発明の詳細な説明】
【技術分野】
【０００１】
本発明は、雪用のフード付きワイパーブレードの端部に用いられるワイパーブレード用エンドキャップに関する。
【背景技術】
【０００２】
雪用のワイパーブレードにおいては、ブレードラバーを保持するレバー部の各所への雪の侵入を防ぐために、レバー部をフードで覆ったものが用いられる。図９には、このような従来のフード付きワイパーブレード１０１を示す。図示されるように、ワイパーブレード１０１は、レバー部１０２と、ブレードラバー１０３と、レバー部１０２の周囲に被せられるフード１０４（断面で示す）と、ワイパーアームとの連結用の連結部１０５と、レバー部２の両端に取り付けられたエンドキャップ１１０から構成される。
【０００３】
図１０には、従来のエンドキャップ１１０を詳細に示す。エンドキャップ１１０は、フード１０４の両側の端部１０４Ａが接着されることにより、フード１０４の両側を封止するための部材であり、外周面１１１と端面１１２を備えている。なお、端面１１２の縁部は、側面１１１に対して高くなった段部１１３となっている。
【発明の開示】
【発明が解決しようとする課題】
【０００４】
このような従来のエンドキャップ１１０では、フード１０４の端部１０４Ａのエンドキャップ１１０への接着作業に際して、エンドキャップ１１０の外周面１１１の全体に接着剤を塗布し、外周面１１１に対してフード１０４の端部１０４Ａを接着する。このようにエンドキャップ１１０の外周面１１１に接着剤を塗布するためには、外周面１１１の回りに配置されたフード１０４の端部１０４Ａを拡げるか或いはめくる必要がある。このため、面倒な作業が必要となっていた。また、フード１０４の端部１０４Ａは、エンドキャップ１１０の段部１１３に乗り上げないように、位置調整される必要があり、この点でも作業が面倒であった。さらに、接着剤は、エンドキャップ１１０とフード１０４の接着部分から外にはみ出してしまいやすく、はみ出した接着剤はワイパーブレード１０１の外観を損ねてしまっていた。
【０００５】
本発明は、このような問題点に着目してなされたもので、フード付きワイパーブレードの端部に用いられるワイパーブレード用エンドキャップにおいて、フードへのエンドキャップの接着作業を容易化できるとともに、エンドキャップが装着されたワイパーブレードの外観を向上させ得るワイパーブレード用エンドキャップを提供することを目的とする。
【課題を解決するための手段】
【０００６】
本発明では、フード付きワイパーブレードにおいてブレードラバーを支持するレバー部の端部に装着可能なワイパーブレード用エンドキャップにおいて、本体部と、前記本体部に被せられる蓋部とを備え、前記本体部は、前記フードと前記本体部の外周面とを接着するための接着剤が注入され得る接着剤溜まり部と、前接着剤溜まり部に隣接して形成される接着剤注入孔とを備えた。
【０００７】
前記本体部は、前後両端縁に沿って延びる隆起部を有し、前記接着剤溜まり部は、前記隆起部によって周囲を囲まれていてもよい。
前記接着剤注入孔は、前記隆起部に形成されていてもよい。
【０００８】
前記本体部は、上面と両側側面とを備え、前記接着剤注入孔は、前記上面と両側側面のそれぞれに少なくとも１つずつ設けられていてもよい。
前記接着剤注入孔は、前記上面及び両側側面のそれぞれの端辺の中央部付近に形成されていてもよい。
【０００９】
前記蓋部は、前記本体部への装着時に前記接着剤注入孔に係合する係合部を備え、前記係合部の接着剤注入孔への係合により前記蓋部が前記本体部に固定されるようにしてもよい。
【００１０】
前記蓋部は、前記本体部への装着時に前記接着剤注入孔に対して整合した位置に配置される開口部を備えてもよい。
【発明の効果】
【００１１】
本発明によれば、ワイパーブレード用エンドキャップ（例えばエンドキャップ１０）に本体部（例えば本体部１１）と蓋部（例えば蓋部１２）を備え、本体部に接着剤溜まり部（例えば接着剤溜まり部３３）と接着剤注入孔（例えば接着剤注入孔３４）を設け、接着剤注入孔から接着剤溜まり部に向けて接着剤を注入することにより、フード（例えばフード４）をエンドキャップに接着できるようにしたので、接着時にエンドキャップの周囲に配置されたフードを拡げて（或いはめくって）エンドキャップの外周に接着剤を塗布する等の面倒な作業が不要となり、作業工数を削減でき、エンドキャップへのフードの接着作業が極めて容易となる。また、蓋部で本体部を覆うことにより、本体部に対するフードの接着部分が隠されるので、外観が向上するとともに、フードの位置調整等の必要が無くなり、接着作業がさらに簡単になる。
【００１２】
また、接着剤溜まり部が隆起部（例えば隆起部３１、３２）により周囲を囲まれているようにすれば、注入された接着剤が、接着剤溜まり部の外側に流れ出してしまうことはないので、接着剤のはみ出しによる外観不良の発生を適切に防止できる。
【００１３】
また、接着剤注入孔を、本体部の上面（例えば上面２２）と両側側面（例えば側面２３、２４）のそれぞれに少なくとも１つずつ設ければ、接着剤を接着剤溜まり部の全域（すなわち本体部の外周全体）に満遍なく注入することができる。
【００１４】
また、接着剤注入孔を、上面及び両側側面のそれぞれの端辺の中央部付近に形成すれば、上面及び両側側面に対してバランス良く接着剤の注入を行える。
また、蓋部に、接着剤注入孔に係合する係合部（例えば係合爪５２）を設ければ、この係合により、蓋部を本体部に対して正しい位置に固定できる。
【００１５】
また、蓋部に、接着剤注入孔に対して整合した位置に配置される開口部（例えば開口部６４）を設ければ、蓋部を本体部に装着した状態で、開口部及び接着剤注入孔を通して、接着剤溜まり部に接着剤を注入することが可能となる。
【発明を実施するための最良の形態】
【００１６】
以下、添付図面を参照して本発明の各実施形態を説明する。
図１には、本発明の実施形態のエンドキャップ１０を備えたワイパーブレード１の全体構成を示す。図示されるように、ワイパーブレード１は、複数のレバーを組み合わせて構成されるレバー部２と、このレバー部２により支持されるブレードラバー３と、レバー部２の周囲に被せられるフード４と、ワイパーアーム（図示せず）との連結用にレバー部の略中央に取り付けられた連結部５と、レバー部２の両端に取り付けられたエンドキャップ１０とを備えている。なお、図１では、フード４の内側の構成が分かるように、フード４は断面で示してある。
【００１７】
エンドキャップ１０は、フード４の両側の端部４Ａが接着されることにより、フード４の両側を封止するための部材であり、例えば樹脂から形成され、本体部１１と蓋部１２とを備えている。本体部１１は、レバー部２の端部に装着される部分で、その外周部にフード４の端部４Ａが接着されている。蓋部１２は、本体部１１に装着され、ワイパーブレード１の端部を形成している。
【００１８】
図２から図４には、本体部１１の構成を詳細に示す。図示されるように、本体部１１は、前面２１と、上面２２と、両側の側面２３、２４とを備えている。本体部１１の後端部には、レバー部２の端部が挿入される後端開口２５が形成され、また本体部１１の下部には、ブレードラバー３の端部が挿入される切り欠き部２６が形成されている。
【００１９】
本体部１１は、さらに、前端縁に沿って形成された隆起部３１と、後端縁に沿って形成された隆起部３２とを備えている。隆起部３１、３２は、それぞれ上面２２及び両側側面２３、２４の前端縁、後端縁の全体に渡って延びており、本体部１１下部の切り欠き部２６に至り、切り欠き部２６の両側に沿って延びている。これらの隆起部３１、３２に挟まれた凹部が、接着剤溜まり部３３となる。接着剤溜まり部３３は、切り欠き部２６を除く本体部１１の全外周に渡って形成されている。
【００２０】
前端側の隆起部３１、３２には、接着剤溜まり部３３側に開口するように、切り欠き状の接着剤注入孔３４が形成されている。接着剤注入孔３４は、上面２２及び両側側面２３、２４のそれぞれに１つずつ形成される。各面の接着剤注入孔３４は、それぞれの面の前端辺の略中央に形成されている。
【００２１】
このような構成により、本体部１１の外周にフード４の端部４Ａを接着する場合には、接着剤溜まり部３３に対してフード４の端部４Ａを重ねた状態にして、接着剤注入孔３４から接着剤を接着剤溜まり部３３に向けて注入する。この場合、本体部１１の前面２１が上方を向くように、ワイパーブレード１を立てた状態としておくことにより、接着剤注入孔３４から注入された接着剤は、後端側の隆起部３２に至るまで容易に流れていくようにできる。また、接着剤注入孔３４は、上面２２及び両側側面２３、２４のそれぞれに１つずつ、それぞれの面の前端辺の略中央に形成されているので、接着剤溜まり部３３の全域（すなわち本体部１１の外周全体）に満遍なく注入することができる。また、接着剤溜まり部３３は、周囲を隆起部３１、３２により囲まれているので、注入された接着剤が、接着剤溜まり部３３の外側に流れ出してしまうことはない。
【００２２】
図５及び図６には、エンドキャップ１０の蓋部１２を詳細に示す。図示されるように、蓋部１２は、前面４１、上面４２、両側側面４３、４４を備え、さらに、後端には後端開口４５を、また下部には切り欠き部４６を、それぞれ備えている。蓋部１２は、本体部１１を前面２１側から後端開口４５内に嵌め込むことにより、本体部１１に対して被せられる。このとき、蓋部１２の前面４１、上面４２、両側側面４３、４４は、それぞれ本体部１１の前面２１、上面２２、両側側面２３、２４に沿って配置され、また蓋部１２の切り欠き部４６は、本体部の切り欠き部２６に対応する位置に配置されるようになっている。
【００２３】
このように、蓋部１２を備えることにより、本体部１１の外周にフード４が接着された状態を隠すことができ、ワイパーブレード１の外観が向上する。また、仮に本体部１１がレバー部２に対して傾いて取り付けられてしまっていた場合でも、蓋部１２をレバー部２に対して真っ直ぐとなるように本体部１１に被せることにより、本体部１１の傾きを目立たないようにできる。
【００２４】
以上のように、本実施形態のエンドキャップ１０によれば、接着剤を接着剤注入孔３３から接着剤を注入することにより、エンドキャップ１０（本体部１１）へのフード４の接着を行うことができるので、接着時にフード４を拡げて（或いはめくって）エンドキャップ１０の外周に接着剤を塗布する等の面倒な作業が不要となり、作業工数を削減でき、フード４の接着作業が極めて容易となる。また、接着剤溜まり部３３からの接着剤の流出は、隆起部３１、３２により防止されるので、接着剤のはみ出しによる外観不良の発生を適切に防止できる。
【００２５】
また、蓋部１２が本体部１１に対してフード４が接着された状態を覆うので、仮にフード４が本体部１１の隆起部３１に乗り上げていたとしても、蓋部１２によって隠されるので問題はなく、従来のエンドキャップにおけるようなフードの位置調整（例えば図９及び図１０に示すエンドキャップ１１０においてフード１０４の端部１０４Ａがエンドキャップ１１０の段部１１３に乗り上げないように行う位置調整）の必要が無くなり、フード４の接着作業はさらに簡単になる。
【００２６】
図７には、本発明の他の実施形態におけるエンドキャップ１０の蓋部１３を示す。図示されるように、蓋部１３は、上記図５及び図６の実施形態の蓋部１２と比較して、本体部１１が嵌め込まれる開口部５１の奥部に、係合爪５２が設けられている点のみが異なっている。蓋部１３が本体部１１に装着されたとき、係合爪５２は、本体部１１の接着剤注入孔３４に対して係合する。これにより、蓋部１３は、本体部１１に対して正しい位置に固定されるようになっている。
【００２７】
図８には、本発明のさらに他の実施形態における蓋部１４を示す。図示されるように、蓋部１４は、上記図５及び図６の実施形態の蓋部１２と比較して、上面６１及び両側側面６２、６３のそれぞれに開口部６４が形成されている点でのみが異なっている。蓋部１４が本体部１１に装着されたとき、開口部６４は、本体部１１の接着剤注入孔３４に整合する位置に配置される。これにより、蓋部１４を本体部１１に装着した状態で、開口部６４及び接着剤注入孔３４を通して、接着剤溜まり部３３に接着剤を注入することが可能となる。
【図面の簡単な説明】
【００２８】
【図１】本発明の実施形態におけるエンドキャップを備えたワイパーブレードを示す側面図である。
【図２】同じくエンドキャップの本体部を示す斜視図である。
【図３】同じくエンドキャップの本体部を示す斜視図である。
【図４】同じくエンドキャップの本体部を示す斜視図である。
【図５】同じくエンドキャップの蓋部を示す斜視図である。
【図６】同じくエンドキャップの蓋部を示す斜視図である。
【図７】本発明の他の実施形態におけるエンドキャップの蓋部を示す斜視図である。
【図８】本発明のさらに他の実施形態におけるエンドキャップの蓋部を示す斜視図である。
【図９】従来のエンドキャップを備えたワイパーブレードを示す側面図である。
【図１０】従来のエンドキャップの斜視図である。
【符号の説明】
【００２９】
１  ワイパーブレード
２  レバー部
３  ブレードラバー
４  フード
４Ａ  フードの端部
１０  エンドキャップ
１１  本体部
１２  蓋部
１３  蓋部
１４  蓋部
２１  本体部の前面
２２  本体部の上面
２３  本体部の側面
２４  本体部の側面
２５  本体部の後端開口
２６  本体部の切り欠き部
３１  本体部の隆起部
３２  本体部の隆起部
３３  本体部の接着剤溜まり部
３４  本体部の接着剤注入孔
４１  蓋部の前面
４２  蓋部の上面
４３  蓋部の側面
４４  蓋部の側面
４５  蓋部の後端開口
４６  蓋部の切り欠き部
５２  蓋部の係合部
６４  蓋部の開口部
【図１】
0005189885.tif 000002
【図２】
0005189885.tif 000003
【図３】
0005189885.tif 000004
【図４】
0005189885.tif 000005
【図５】
0005189885.tif 000006
【図６】
0005189885.tif 000007
【図７】
0005189885.tif 000008
【図８】
0005189885.tif 000009
【図９】
0005189885.tif 000010
【図１０】
0005189885.tif 000011